(57)【要約】      （修正有）【課題】清拭性に優れた乳牛の乳房清拭用ペーパーの提供。【解決手段】パルプを原料とし、１０ｇ／ｍ2〜５０ｇ／ｍ2のシートが２枚重ね状態で接合され、ＪＩＳ  Ｌ  １０９６  Ｅ法によりソフトネスが、縦５．０〜１１５．０ｇ、横５．０〜７５．０ｇ、かつ、ＫＥＳ試験機による曲げ剛性Ｂが、縦０．０５〜０．５ｇ・ｃｍ2／ｃｍ、横０．０５〜０．２０ｇ・ｃｍ2／ｃｍである乳牛の乳房清拭用ペーパー。シート相互の接合態様として、エンボス加工のみの接合でもよいが、接合を確実にならしめ接着剤による接合形態が望ましい。しかも、空間を形成し消毒液の吸収性を高め、嵩高性を得るために、上記のエンボスしたシート相互を接合させるものが特に望ましい。【選択図】図１
2006223193.tif 000002
【特許請求の範囲】
【請求項１】
パルプを原料とし、１０ｇ／ｍ2〜５０ｇ／ｍ2のシートが２枚重ね状態で接合され、
ＪＩＳ  Ｌ  １０９６  Ｅ法によりソフトネスが、縦５．０〜１１５．０ｇ、横５．０〜７５．０ｇ、かつ、
ＫＥＳ試験機による曲げ剛性Ｂが、縦０．０５〜０．５ｇ・ｃｍ2／ｃｍ、横０．０５〜０．２０ｇ・ｃｍ2／ｃｍである
ことを特徴とする乳牛の乳房清拭用ペーパー。
【請求項２】
ＫＥＳ試験機による平均曲げヒステリシス幅２ＨＢが、縦０．２０〜０．３５ｇ・ｃｍ／ｃｍ、横０．１０〜０．２５ｇ・ｃｍ／ｃｍである請求項１記載の乳牛の乳房清拭用ペーパー。
【請求項３】
前記シート相互の接合態様が次記（イ）または（ロ）である、
（イ）一方のシートのエンボス凸部の天部と、他方のシートのエンボス凸部の天部とが接着剤により接着される
（ロ）一方のシートのエンボス凸部が他方のシートのエンボスの凹部内に嵌り込みかつその嵌り込み域において空間を残して嵌り込むように前記エンボス凸部の天部と前記エンボス凹部の底部とが接着剤により接着される、
請求項１または２記載の乳牛の乳房清拭用ペーパー。
【発明の詳細な説明】
【技術分野】
【０００１】
本発明は、乳牛の乳房清拭用ペーパー、すなわち、乳牛の搾乳前のプレディッピング後、搾乳後のポストディッピング後における、乳房又は乳頭を清拭するためのペーパーに関する。
【背景技術】
【０００２】
酪農家において、乳房炎は、乳量及び乳成分（乳質）の低下、治療代の負担などの被害の要因となっている。
【０００３】
乳房炎は、搾乳牛の乳房内に細菌の侵入及び増殖が原因とされ、そのために、搾乳時の衛生管理が重要なものとなっている。
【０００４】
搾乳に際しては、通常、乳牛の搾乳前のプレディッピング（消毒液を乳房につける）した後、ペーパーで清拭し、次いでミルカー（搾乳機）による搾乳を行い、搾乳終了後のポストディッピング（プレディッピングとは異なる消毒液を乳房につける）した後、ペーパーで清拭している。
【０００５】
先行技術（特許文献１）では、未変性エタノール９〜１５重量％、乳酸又はクエン酸０．０１〜０．１重量％及び精製水８５％〜９０％重量よりなり、ｐＨ３程度に調整されてなる殺菌液が、不織布、紙又はガーゼより選ばれた吸水シートに吸水シート重量に対して１００〜３００重量％含浸された乳房清拭用ワイパーを提案されている。
【０００６】
しかし、かかるウェットタイプのものでは、特定の密封容器を必要とし高価となるばかりでなく、消毒液を使用した後に、再度殺菌液を使用する必要性があるのか疑問が残るものである。
【０００７】
多くの酪農家においては、実際には、この種の清拭用ペーパーとして、出願人が知る限り国内２社からは販売されている再生古紙を原料とするドライタイプのものを使用している。
【０００８】
しかし、従来のドライタイプの清拭用ペーパーは、清拭性の点で改善すべき点が残されていることを知見した。
【特許文献１】特許３２６３０３８号公報
【発明の開示】
【発明が解決しようとする課題】
【０００９】
したがって、本発明の主たる課題は、清拭性に優れる乳牛の乳房清拭用ペーパーを提供することにある。
【課題を解決するための手段】
【００１０】
上記課題は解決して本発明は次記のとおりである。
＜請求項１項記載の発明＞
パルプを原料とし、１０ｇ／ｍ2〜５０ｇ／ｍ2のシートが２枚重ね状態で接着され、
前記シート相互の接着態様が次記（イ）または（ロ）であり、
ＪＩＳ  Ｌ  １０９６  Ｅ法によりソフトネスが、縦５．０〜１１５．０ｇ、横５．０〜７５．０ｇ、かつ、
ＫＥＳ試験機による曲げ剛性Ｂが、縦０．０５〜０．５ｇ・ｃｍ2／ｃｍ、横０．０５〜０．２０ｇ・ｃｍ2／ｃｍである
ことを特徴とする乳牛の乳房清拭用ペーパー。
【００１１】
（作用効果）
本発明のものは、後に実施例で示すように、市販品のものに比較して、ソフトネスの値が小さく、かつ、曲げ剛性Ｂの値が小さい。ソフトネスは、硬さ又はやわらかさの指標であり、曲げ剛性Ｂは、「値が大きいほど、曲げにくい」ことを表わす。したがって、本発明のものは、柔らかい紙質であり、小さい力でシートを折ったり、曲げたりといったシート外形を容易に変えることができる。特に曲げ剛性Ｂが小さいことは、乳房に対し、その乳房の形に合うようシートがフィットさせることができることを意味し、しかも、柔らかいのでので、乳房を痛めることもなく、確実に清拭できるのである。
【００１２】
＜請求項２項記載の発明＞
ＫＥＳ試験機による平均曲げヒステリシス幅２ＨＢが、縦０．２０〜０．３５ｇ・ｃｍ／ｃｍ、横０．１０〜０．２５ｇ・ｃｍ／ｃｍである請求項１記載の乳牛の乳房清拭用ペーパー。
【００１３】
（作用効果）
平均曲げヒステリシス幅２ＨＢは、「値が大きいほど、回復性（復元性）が悪い」ことを表わす。本発明では、市販品のものに比較して、平均曲げヒステリシス幅２ＨＢの値が小さい。したがって、清拭時に隈なく清拭でき、またペーパーを取り去るときに、消毒液を残存させることもない。
【００１４】
＜請求項３項記載の発明＞
前記シート相互の接合態様が次記（イ）または（ロ）である、
（イ）一方のシートのエンボス凸部の天部と、他方のシートのエンボス凸部の天部とが接着剤により接着される
（ロ）一方のシートのエンボス凸部が他方のシートのエンボスの凹部内に嵌り込みかつその嵌り込み域において空間を残して嵌り込むように前記エンボス凸部の天部と前記エンボス凹部の底部とが接着剤により接着される、
請求項１または２記載の乳牛の乳房清拭用ペーパー。
【００１５】
（作用効果）
シート相互の接合態様として、エンボス加工のみの接合でもよいが、接合を確実にならしめ接着剤による接合形態が望ましい。しかも、空間を形成し消毒液の吸収性を高め、嵩高性を得るために、上記のエンボスしたシート相互を接合させるものが特に望ましい。
【発明の効果】
【００１６】
以上要するに、本発明のものによれば、乳房又は乳頭の清拭性に優れたものとなる。
【発明を実施するための最良の形態】
【００１７】
以下、本発明を実施するための最良の形態について詳説する。
本発明の乳牛の乳房清拭用ペーパーの坪量（ＪＩＳ  Ｐ  ８１２４）は、１枚のシートにおいて、１０ｇ／ｍ2〜５０ｇ／ｍ2が望ましい（より望ましくは１７ｇ／ｍ2〜２５ｇ／ｍ2）。１０ｇ／ｍ2未満であるとシート自体が薄くなるため、消毒液の単位面積あたりの吸収量が少なくなり、清拭時に消毒液の吸収が不十分であるとともに、シートが破れたり穴があいたりする恐れがある。５０ｇ／ｍ2を超えると、消毒液の吸収は十分であるものの、全体的にシートの柔軟性が低下し剛度が高まり、乳房に対し、その乳房の形に合うようシートがフィットさせることができにくくなる。なお、最良の形態としては、シートが２枚重ね状態で接合されたものである。
【００１８】
さらに、１枚シート（エンボス未加工。以下特性を示す場合は同様。）基準で、ＪＩＳ  Ｌ  １０９６  Ｅ法によりソフトネスが、柔軟性確保の観点から、縦５．０〜１１５．０ｇ（より望ましくは５．０〜６０．０ｇ）、横５．０〜７５．０ｇ（より望ましくは５．０〜４０．０ｇ）とされる。
【００１９】
他方、ＫＥＳ試験機（カトーテック社製「ＫＥＳＦＢ２−ＡＵＴＯ−Ａ」による曲げ剛性Ｂが、縦０．０５〜０．５（より望ましくは０．０５〜０．２５）ｇ・ｃｍ2／ｃｍ、横０．０５〜０．２０（より望ましくは０．０５〜０．２０）ｇ・ｃｍ2／ｃｍが望ましい。この測定方法は、紙や布帛の分野で周知であり、かつ同機の取り扱い説明書に記載のとおりであるので説明を省略する。
【００２０】
さらに、平均曲げヒステリシス幅２ＨＢが、縦０．２０〜０．３５（より望ましくは０．２５〜０．３２）ｇ・ｃｍ／ｃｍ、横０．１０〜０．２５ｇ・ｃｍ／ｃｍが望ましい。
【００２１】
本発明において、消毒液の清拭性及び吸収性を良好とするために、２枚のシート相互の接合態様が次記（イ）または（ロ）であるのが望ましい。
（イ）一方のシートのエンボス凸部の天部と、他方のシートのエンボス凸部の天部とが接着剤により接着される。
（ロ）一方のシートのエンボス凸部が他方のシートのエンボスの凹部内に嵌り込みかつその嵌り込み域において空間を残して嵌り込むように前記エンボス凸部の天部と前記エンボス凹部の底部とが接着剤により接着される。
【００２２】
（イ）の形態例について説明すれば、図１に示すように、シート１と２とを２枚重ね状態で接着したもので、その坪量は１０ｇ／ｍ2〜５０ｇ／ｍ2とされている。その接着態様は、「Ｔｉｐ  ｔｏ  Ｔｉｐ」形態としており、一方のシート１のエンボス凸部１Ａの天部と、他方のシート２のエンボス凸部２Ａの天部とが接着剤３により接着したものである。
【００２３】
（ロ）の形態例について説明すれば、図２に示すように、一方のシート１のエンボス凸部が他方のシート２のエンボスの凹部内に嵌り込みかつその嵌り込み域において空間を残して嵌り込むように前記エンボス凸部の天部と前記エンボス凹部の底部とが接着剤３により接着したものである。
【００２４】
エンボスの形状は、図示例では裁切四角錐形としてあるが、裁切円錐形や、天部が平面形状で楕円や三角その他多角形などとすることができる。シート相互の接着のために天部は可能な限り平坦であるのが望ましい。天部の面積は０．１〜４０ｍｍ2、より好適には０．２５〜４．０ｍｍ2、最も望ましくは０．５〜２．０ｍｍ2である。
【００２５】
かかる山形のエンボスは図３に図示されているように規則的に多数形成され、エンボスセクションＸ，Ｘ…が形成されている。このエンボスセクションＸ，Ｘ…間に、エンボスが形成されていない、直線状の交差し一辺の長さが１．７３１ｍｍ〜５０ｍｍ、好適には１５ｍｍ〜５０ｍｍで、幅が０．８２４ｍｍ〜２０ｍｍ、好適には１．２ｍｍ〜５．０ｍｍの格子状の抜き柄セクションＹが形成されている。抜き柄セクションＹにおいてはシート１，２は接着されていない。
【００２６】
エンボスセクションＸの面積に対するそのエンボスセクションＸ内の接着剤３による接着部分の総面積は５〜３０％、好適には９〜２５％、最も望ましくは１０〜１４．５％である。
【００２７】
シート相互の接着剤としては、ＰＶＡ、ＣＭＣ、ＭＣ、デンプンなどを使用できる。
【００２８】
接着すべき天部の面積は０．１〜４０ｍｍ2、より好適には０．２５〜４．０ｍｍ2、最も望ましくは０．５〜２．０ｍｍ2であるが、天部の面積が過度に小さいとシート相互の接着強度が低下する。天部の面積が過度に大きいと、エンボスによる吸収空間の容積が小さくなり、吸収能力に低下に繋がる。これと関係して、エンボスセクションＸの面積に対するそのエンボスセクションＸ内の接着剤３による接着部分の総面積は５〜３０％、好適には９〜２５％、最も望ましくは１０〜１４．５％であるが、この面積率が小さいと、単位面積当たりの吸収空間の容積を大きくすることができるものの、シート相互の接着強度が低下する。面積率が大きいと、エンボスによる吸収空間の容積が小さくなり、吸収能力に低下に繋がる。
【００２９】
抜き柄セクションＹは、格子状である限り、正四角形の格子であるほか、長方形の格子や斜め格子形状であってもよい。格子の一辺の長さは１．７３１ｍｍ〜５０ｍｍ、好適には１５ｍｍ〜５０ｍｍで、幅が０．８２４ｍｍ〜２０ｍｍ、好適には１．２ｍｍ〜５．０ｍｍが望ましい。この格子長さが過度に短いと、エンボスセクションによる十分な吸収力が得られない。反対に、格子長さが過度に長いと、抜柄セクションによる平面方向への拡散が十分得られない。
【００３０】
また、格子幅が過度に短いと、抜柄の空間が小さく拡散前に抜き空間が液体により飽和してしまうため、吸収スピードが得られない。反対に、格子幅が過度に長いと、抜柄部のシート自体が貼りつくことで抜柄の空間が維持されず、拡散につながらない。
【００３１】
抜き柄セクションＹの面積はエンボスセクションＸの面積の１０〜５０％、特に２０〜３０％が望ましい。
【００３２】
シート１枚の紙厚は、１５０〜４００μｍ、好ましくは１７０〜２２５μｍとされる。なお、紙厚測定は、ＪＩＳ  Ｐ  ８１１１の条件下で、尾崎製作所ダイヤルシックネスゲージ「ＰＥＡＣＯＣＫ  Ｇ型」を用いて測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料（ティシュペーパー）を試験台の上におき、プランジャーをゆっくりと下ろしそのときのゲージを読み取る。このとき、プランジャーをのせるだけとする。なお、紙厚は測定を１０回行って得られる平均値とする。
【００３３】
さらに、柔軟性の観点から、本発明に係る乳房清拭用ペーパーは、伸び率が１０〜      ３０％にあることが望まれる。
【００３４】
さらに、本発明に係る乳房清拭用ペーパーは、吸水量測定試験により測定される吸水量が１５０ｇ／ｍ2以上であることが望まれる。吸水量が１５０ｇ／ｍ2未満であると、消毒液の吸収性が良好でない。望ましくは３５０〜７００ｇ／ｍ2とされる。なお、吸水量測定試験については後述する。
【００３５】
また、本発明に係る乳房清拭用ペーパーは、ＪＩＳ  Ｐ  ８１１１に規定される条件下でＪＩＳ  Ｐ  ８１１３の規定に従って測定される乾燥時の縦方向及び横方向の引張強さが、それぞれ１０００〜３０００（ＣＮ／２５ｍｍ）および３００〜１０００（ＣＮ／２５ｍｍ）であり、かつ縦方向の引張強さが横方向の引張強さの３〜１０倍であるのが好ましい。
【００３６】
さらにＪＩＳ  Ｐ  ８１１３の規定に従って測定される湿潤時の縦方向及び横方向の引張強さが、それぞれ２００〜１２００（ＣＮ／２５ｍｍ）および５０〜６００（ＣＮ／２５ｍｍ）であり、かつ縦方向の引張強さが横方向の引張強さの０．３〜２２倍であるのが好ましい。特に、清拭時にシートが破れたり穴があいたりすることを防止するため、湿潤時の縦方向及び横方向の引張強さは、それぞれ３５０〜１２００（ＣＮ／２５ｍｍ）および１２０〜６００（ＣＮ／２５ｍｍ）であるのが望ましい。
【００３７】
本発明の乳牛の乳房清拭用ペーパーは、パルプを原料とする紙シートである。この場合、バージンパルプ１００％が最適である。しかし、全量を古紙パルプとすることもできる。古紙パルプを含ませる場合、４０％以下が特に望ましい。
【００３８】
本発明に係る乳房清拭用ペーパーでは、公知の原料パルプ、ＮＢＫＰとＬＢＫＰとを任意の割合で配合したものを用いることができるが、特に紙力が不足しがちのときには、ＮＢＫＰ：ＬＢＫＰが１０：０〜５：５、特に７：３〜５：５の比率で配合されたものを推奨する。ＮＢＫＰは、平均繊維長が長く引張り強度が高く、これを高配合とすることによって紙力を増強できる。
【００３９】
紙力増強のために、原料パルプの一部または全てを叩解して製造することもできる。原料パルプの一部を叩解する場合、ＮＢＫＰ及びＬＢＫＰともに同レベルで叩解するほか、両者を異なるレベルで若しくは一方のみを叩解することもできる。原料パルプの全てを叩解する場合には、ＮＢＫＰ及びＬＢＫＰともに同レベルで叩解するほか、両者を異なるレベルで叩解することもできる。
【００４０】
ところで、先の説明からも判るように、本発明で規定する特性は、使用パルプの選定、抄造法、抄紙法、添加剤の選定などによって得ることができる。
【実施例】
【００４１】
以下本発明を実施例及び比較例によって説明する。
比較例は、Ａ社及びＢ社による市販品である。
各測定方法については下記のとおりである。
【００４２】
（測定条件）
全ての測定は、原則としてＪＩＳ  Ｐ  ８１１１に規定される条件下で行った。
【００４３】
（坪量）
紙の坪量は、ＪＩＳ  Ｐ  ８１２４の規定に準拠して測定した。
【００４４】
（紙厚）
紙厚は、尾崎製作所ダイヤルシックネスゲージ「ＰＥＡＣＯＣＫ  Ｇ型」を用いて測定した。具体的手法については前述のとおりであるので、ここでは詳細を省略する。
【００４５】
（乾燥時引張強さ）
縦方向および横方向の乾燥時引張強さは、ＪＩＳ  Ｐ  ８１１３の規定に準拠して測定した。
【００４６】
（湿潤引張強さ）
縦方向および横方向の湿潤引張強さは、ＪＩＳ  Ｐ  ８１１３の規定に準拠して測定した。また、湿潤破裂強度はカトーテック社製ハンディー圧縮試験機（ＫＥＳ−Ｇ５）を使用し、サンプルが破断したときの荷重値（ＣＮ／２５ｍｍ）とした。
【００４７】
（伸び率）
試料を５枚重ねて縦方向の幅が２５ｍｍとなるように裁断機を用いて裁断し、次いで、その試料を容量２０ｋｇのロードセル引張試験機（ミネベア株式会社製  ＴＧ−２００Ｎ）を用いてつかみ間隔１００±２ｍｍ、引張速度５０ｍｍ／ｍｉｎで試料が破断する長さを測定し、次式に従って計算した値である。表中の数値は、５回測定したさいの平均値である。
伸び率（％）＝［破断時長さ（ｍｍ）−１００（ｍｍ）］÷１００（ｍｍ）
【００４８】
（ソフトネス）
ソフトネスは、ハンドルオメータ法（ＪＩＳ Ｌ−１０９６ Ｅ法）により測定した。
【００４９】
（吸油量）
本発明の吸油量測定試験は次のように行う。先ず、１００ｍｍ×１００ｍｍの試験片を作成し、吸油前の重量を測定する。また、深さ２０ｍｍのところまでサラダオイルで満たしたバットを用意する。試験片を金網に載せた状態でバット内に浸漬し、試験片全体がサラダオイルに浸った時点で金網を油面から引き上げ、３０秒間放置して余剰サラダオイルを自然落下させる、その後、試験片の吸油後重量を測定し、吸油前後の重量変化（吸収したサラダオイルの重さ）を算出し、さらにこれを１ｍ2あたりに換算した値を吸油量とする。
【００５０】
（吸水量）
本発明の吸水量測定試験は次のように行う。先ず、１００ｍｍ×１００ｍｍの試験片を作成し、吸水前の重量を測定する。また、深さ２０ｍｍのところまで水で満たしたバットを用意する。試験片を金網に載せた状態でバット内に浸漬し、試験片全体が水に浸った時点で金網を水面から引き上げ、３０秒間放置して余剰水を自然落下させる、その後、試験片の吸水後重量を測定し、吸水前後の重量変化（吸収した水の重さ）を算出し、さらにこれを１ｍ2あたりに換算した値を吸水量とする。
【００５１】
（白色度）
白色度は、ＪＩＳ  Ｐ  ８１２３の規定に準拠して測定した。
【００５２】
（曲げ剛性Ｂ）
曲げ剛性Ｂ、および平均曲げヒステリシス幅２ＨＢは、純曲げ試験機（カトーテック社製「自動化純曲げ試験機  ＫＥＳＦＢ２−ＡＵＴＯ−Ａ」）を使用して測定した。なお曲げ剛性Ｂが大きいほど曲げ難く固い。Ｂ／Ｗは、曲げ剛性Ｂを坪量Ｗで除して算出した。
【００５３】
（清拭性）
実際に酪農家５０名が所有する乳牛に対し、清拭性を試験した。まず、日本全薬工業株式会社が販売する消毒液「クウォーターメイト」を塗布し、実施例及び各比較例のシートで清拭し、その後に乳房に残る消毒液の残存量を目視及び感触で５段階で判断した。段階５は清拭性にきわめて優れる、４は優れる、３は普通、２は清拭性に難がある、１は清拭性が悪いとした。表中の値は５０名の評価平均値である。
【００５４】
【表１】
2006223193.tif 000003
【００５５】
（考察）
本発明に係る実施例のものは清拭性に優れるものであることは判る。なお、平均曲げヒステリシス幅２ＨＢが請求項２の規定から外れるもの、請求項３での接合を行うことなく単に２枚を重ねたものであっても、清拭性の評価は、５０名評価平均で「４．８」であった。
【図面の簡単な説明】
【００５６】
【図１】Ｔｉｐ  ｔｏ  Ｔｉｐの接合形態の説明図である。
【図２】ネステッドの接合形態の説明図である。
【図３】シート例の平面図である。
【図４】エンボス部に拡大平面図である。
【符号の説明】
【００５７】
１，２…シート、１Ａ，２Ａ…凸部、２Ｂ…凹部、３…接着剤、Ｘ…エンボスセクション、Ｙ…抜き柄セクション。
【図１】
2006223193.tif 000004
【図２】
2006223193.tif 000005
【図３】
2006223193.tif 000006
【図４】
2006223193.tif 000007